(57)【要約】【課題】従来の構内電話システムのダイヤル方法と同様な操作手順でプリセットダイヤル機能を使用できるボタン電話主装置を提供する。【解決手段】発呼機能Ｆ１０と、キーデータ検出機能Ｆ１１と、外線発信用特番の入力を判定する特定番号判定機能Ｆ１２と、外線捕捉機能Ｆ１３と、外線発信用特番が入力されたときに擬似ダイヤルトーンを生成する擬似ダイヤルトーン生成送出機能Ｆ１４と、データ送受信機能Ｆ１５と、データ記憶機能Ｆ１６と、ボタン電話機状態設定機能Ｆ１７とを有するボタン電話主装置１０。【選択図】図３
2006157972.tif 000002
【特許請求の範囲】
【請求項１】
待機状態での最初の操作が外線への発信を開始する特定ダイヤルである場合には、プリセットダイヤル入力可能状態にすると共に可聴音を送出し、前記プリセットダイヤルの入力が開始されると前記可聴音を停止することを特徴とするボタン電話装置。
【請求項２】
前記プリセットダイヤル入力可能状態になったとき、可視表示を行うことを特徴とする請求項１記載のボタン電話装置。
【請求項３】
前記プリセットダイヤルの入力が一定時間なかった場合、外線自動捕捉を行うことを特徴とする請求項１または請求項２記載のボタン電話装置。
【請求項４】
ボタン電話主装置と複数のボタン電話機とからなるボタン電話装置を構成するボタン電話主装置において、
ボタン電話機からのデータが外線発信用特定番号であることを判定する機能と、外線発信用特定番号であると判定したときに擬似ダイヤルトーンを生成する機能と、外線発信用特定番号であると判定したときにボタン電話機の状態をプリセットダイヤル入力可能状態に設定する機能とを備えた
ことを特徴とするボタン電話主装置。
【請求項５】
請求項４に記載のボタン電話主装置において、プリセットダイヤル入力が一定時間なかったときに外線を捕捉する外線捕捉機能を有することを特徴とするボタン電話主装置。
【発明の詳細な説明】
【技術分野】
【０００１】
本発明は、プリセットダイヤル機能を備えたボタン電話装置に関する。
【背景技術】
【０００２】
プリセットダイヤル機能とは、オンフック状態でダイヤルしたあとに、外線捕捉をして発信する機能のことをいう。従来のプリセットダイヤル機能を備えた電話機では、ダイヤル入力の終了を検出して発呼する方法についての利便性を追求したものがある（例えば、特許文献１参照）。また、プリセットダイヤルを開始するか電話帳検索を開始するかを選択できるようにしたものがある（例えば、特許文献２参照）。
【０００３】
このような、従来のプリセットダイヤル機能による発信のシーケンス例を、図６に示す。従来のプリセットダイヤル機能では、利用者が相手番号ダイヤル操作完了後、外線キー押し下げまたはオフフックすることによって、ボタン電話主装置が外線捕捉処理に移り、外線に接続された段階で外線からダイヤルトーンを聴取する。ついで、ボタン電話主装置は相手番号を送出し、外線がダイヤルトーンを停止し、呼出音を送出する。
【特許文献１】特許第３１６２２６９号公報
【特許文献２】特開２００２−３３８１８号公報
【発明の開示】
【発明が解決しようとする課題】
【０００４】
しかし、いずれもプリセットダイヤル機能を従来のボタン電話装置等の構内電話システムにて実施する場合には以下に示す課題を残していた。すなわち、従来のボタン電話装置等の構内電話システムでは、外線発信する場合、オフフック後に外線発信用特定番号（一般的には、“０”ダイヤル）を押し下げて外線を捕捉し、外線のダイヤルトーンを聴取してから相手先番号をダイヤルするダイヤル方法が一般的である。この操作手順に慣れ親しんでいる利用者にとっては、オンフック状態でダイヤルしたあとに外線捕捉をして発信するプリセットダイヤル機能を使うときには、外線のダイヤルトーンがないので、本当に相手先番号に接続されるのか不安を感じてしまう。このような利用者は、プリセットダイヤル機能を使用せず、従来通りの操作手順を踏襲することとなるので、外線を捕捉している時間が長くなり、その間は他の利用者が外線を使用できなくなるという問題がある。
【０００５】
本発明は、このような問題を解決すべく発明されたもので、従来のボタン電話機等の構内電話システムにおけるダイヤル方法と同様な操作手順でありながら、ダイヤル方法としてはプリセットダイヤル機能を使用することが可能なボタン電話主装置を提供するものである。
【課題を解決するための手段】
【０００６】
本発明のボタン電話装置は、ボタン電話主装置とボタン電話機とからなり、待機状態にあるボタン電話機の最初の操作が外線への発信を開始する特定番号（外線発信用特番）である場合には、ボタン電話主装置がボタン電話機をプリセットダイヤル状態（プリセットダイヤル入力可能状態）にするとともに擬似ダイヤルトーン（可聴音）を送出し、ダイヤル番号（プリセットダイヤル）の入力が開始されると前記擬似ダイヤルトーンの送出を停止するものである。
【０００７】
また、本発明のボタン電話装置は、ボタン電話機が前記プリセットダイヤル状態に設定されたとき、プリセットダイヤル状態に設定された旨をボタン電話機の表示部に可視表示させるものである。可視表示の例としては、ＬＣＤ表示部への文字表示あるいはプリセットダイヤル表示用ＬＥＤの点灯などがある。
【０００８】
さらに、本発明のボタン電話主装置は、ボタン電話機からの前記プリセットダイヤルの入力が一定時間なかった場合、外線自動捕捉を行うものである。
【発明の効果】
【０００９】
本発明によれば、利用者は、ボタン電話機が待機状態のときに外線への発信を開始する外線発信用特番（例えば、“０”ダイヤル）を押すと、ボタン電話主装置が生成する疑似ダイヤルトーン（例えば、４００Ｈｚの連続音）が利用者に送出され、該疑似ダイヤルトーンを聴取してから相手先番号をダイヤルすることができるため、従来の構内電話システムで慣れ親しんだ外線のダイヤルトーンを聴取してからのダイヤル方法と同様な操作手順で、プリセットダイヤル機能を安心して使用することができる。その結果、外線を捕捉している時間が短くなり、他の利用者が外線を使用できる機会が増加し、外線の使用効率を向上させることができる。また、通常のプリセットダイヤルと異なり、一定時間ダイヤル操作をしないと外線を自動捕捉するように構成されているので、電話機の送受話器をオフフックする必要もないことから操作も簡略化される。
【００１０】
さらに、プリセットダイヤル機能使用時における最初の操作を前記外線発信用特番としたことにより、特別な機能キーを備える必要がなく、操作キーが少ないことによる操作性向上、コスト低減および電話機の小型化を図れることに特徴がある。
【００１１】
また、ダイヤルトーンの音量を下げている場合、または、周囲騒音等でダイヤルトーンが聞きにくい場合には、プリセットダイヤル入力状態になったことをＬＣＤ表示器などに可視表示することにより、より確実に操作することができることに特徴がある。
【発明を実施するための最良の形態】
【００１２】
以下、本発明の実施の形態について説明する。なお、以下の実施の形態では、ボタン電話装置としてボタン電話主装置と該ボタン電話主装置に接続された有線式ボタン電話機を例にあげて説明する。しかし、本発明はこれに限定されない。例えば有線式ボタン電話機の代わりに無線式ボタン電話機を用いてもよいし、ボタン電話主装置ではなくて構内交換装置で実施してもよい。すなわち、本発明におけるボタン電話主装置は構内交換装置をも含んでいる。また、外線への発信を開始する外線発信用特番は“０”ダイヤルとして説明する。さらに、可視表示はＬＣＤ表示器に行うことを例にあげて説明するが、専用のＬＥＤ表示器等を用いてもよい。
【００１３】
図１を用いて、本発明にかかるボタン電話装置を構成するボタン電話主装置１０と、ボタン電話機（内線電話機）２０の構成の概要を説明する。ボタン電話装置は、複数の外線（１本の場合もあり得る）に接続されたボタン電話主装置１０と、該ボタン電話主装置１０に接続された複数のボタン電話機２０−１〜２０−ｎから構成される。
【００１４】
ボタン電話主装置１０は、中央制御部１１と、通話路スイッチ１２と、複数の外線回路１３−１〜１３−ｎと、擬似トーン送出部１４と、複数のデータ送受信回路１５−１〜１５−ｎと、記憶部１６を有して構成される。
【００１５】
中央制御部１１は、ボタン電話主装置１０の各回路からの入力情報（ボタン電話機からの情報も含む）に対する解析や判断、記憶部１６に対する情報の入出力、各回路の制御を行う。
【００１６】
通話路スイッチ１２は、ボタン電話主装置１０内の交換処理（外線と内線の接続、各音源の内線・外線への接続）を行う。
【００１７】
外線回路１３−１〜１３−ｎは、外線に接続されるインタフェース回路である。
【００１８】
擬似トーン送出部１４は、内線に疑似ダイヤルトーンを送出するときに通話路スイッチ１２を経由して内線に接続される。
【００１９】
データ送受信回路１５−１〜１５−ｎは、内線を介してボタン電話機２０−１〜２０−ｎと音声データ、制御データの通信を行うためのインタフェース回路である。
【００２０】
記憶部１６は、通常の記憶部としての働きの他に、ボタン電話機からのダイヤル操作によりプリセットダイヤルが記憶される。
【００２１】
また、ボタン電話機２０は、制御部２１と、データ送受信回路２２と、音声処理部２３と、送受話器２４と、スピーカ２５と、ダイヤルキー２６と、外線キー２７と、機能キー２８と、ＬＣＤ表示器２９を有して構成される。
【００２２】
制御部２１は、ボタン電話機内の各回路からの入力情報に対する解析や判断、各回路の制御を行う。
【００２３】
データ送受信回路２２は、内線を介してボタン電話主装置１０と音声データ、制御データの通信を行うためのインタフェース回路である。
【００２４】
音声処理部２３は、音声のデジタル／アナログ変換、アナログ／デジタル変換と、ボタン電話機内の送受話器２４やスピーカ２５等との通話路切替および音量を制御する。
【００２５】
送受話器２４は、一般的な通話時の送話、受話を行うためのハンドセットである。
【００２６】
スピーカ２５は、通常は着信音の送出や、スピーカによる拡声受話に使用し、プリセットダイヤル状態に移行したときに疑似ダイヤルトーンを出力する。
【００２７】
ダイヤルキー２６は、電話番号をダイヤルする手段であり、また、外線への発信を開始する外線発信用特番入力用のボタンとしても使用する。
【００２８】
外線キー２７は、複数ある外線から使用したい外線を選択するためのボタンである。
【００２９】
機能キー２８は、ボタン電話装置で一般的に使用する保留やスピーカ等の機能ボタンである。
【００３０】
ＬＣＤ表示器２９は、電話番号、プリセットダイヤルの入力情報等を表示する。また、プリセットダイヤル入力可能状態になったことの表示を行う。
【００３１】
図２は、本発明にかかるボタン電話装置を構成するボタン電話機２０の一例の外観図である。ボタン電話機（内線電話機）２０の外観は、送受話器２４と、通常は表面には表れないスピーカ２５と、例えば１２個のダイヤルキー２６と、外線キー２７と、機能キー２８と、ＬＣＤ表示器２９と、図示されていない各種設定スイッチ（受話音量調節スイッチや着信音量スイッチ等）とで構成されている。
【００３２】
また、本実施の形態においては、外線キー２７は４個設けられているが、外線キー２７の数はこれに限定されるものではなく、ボタン電話装置が有する外線数に応じて変更されるものである。同様に機能キー２８も４個に限定されるものではなく、ボタン電話装置が有する機能の数に応じて変更されるものである。
【００３３】
本発明にかかるボタン電話装置を構成するボタン電話主装置の機能構成を、図３を用いて説明する。ボタン電話主装置１０は、少なくとも、発呼機能Ｆ１０と、キーデータ検出機能Ｆ１１と、特定番号判定機能Ｆ１２と、外線捕捉機能Ｆ１３と、擬似ダイヤルトーン生成送出機能Ｆ１４と、データ送受信機能Ｆ１５と、データ記憶機能Ｆ１６と、ボタン電話機状態設定機能Ｆ１７とを有して構成される。
【００３４】
発呼機能Ｆ１０は、ボタン電話機２０から受信したダイヤル番号に対して発呼する機能であり、プリセットダイヤル時には、外線キーの押し下げまたはダイヤル番号の入力後所定の時間が経過したときにプリセットされたダイヤル番号に対して発呼する機能を有している。
【００３５】
キーデータ検出機能Ｆ１１は、ボタン電話機から受信したデータからダイヤルキー、機能キー、外線キーなどの内容を検出する機能である。キーデータ検出機能Ｆ１１は、ボタン電話機から受信したダイヤルデータをデータ記憶機能Ｆ１６送出する。
【００３６】
特定番号判定機能Ｆ１２は、ボタン電話機から入力されたダイヤルデータが外線発信用特定番号（例えば“０”）であると判定すると、ボタン電話機２０をプリセットダイヤル状態に設定するようボタン電話機状態設定機能Ｆ１７に通知するとともに、ボタン電話機２０がプリセットダイヤル状態にセットされていることをデータ記憶機能Ｆ１６に送出する機能を有している。
【００３７】
外線捕捉機能Ｆ１３は、受信データから外線キーの押し下げを検出したときまたはダイヤル番号の入力が一定時間なかったときに所定の外線を捕捉する機能である。
【００３８】
擬似ダイヤルトーン生成送出機能Ｆ１４は、外線発信用特定番号を受信してボタン電話機２０をプリセットダイヤル状態にセットしたときに、外線捕捉時に外線から受信するダイヤルトーンに類似する可聴音である擬似ダイヤルトーンを生成しボタン電話機２０へ送出し、ダイヤル番号を受信したときに擬似ダイヤルトーンの送出を停止させる機能を有している。
【００３９】
データ送受信機能Ｆ１５は、ボタン電話機２０との間でデータを送受信する機能である。
【００４０】
データ記憶機能Ｆ１６は、ボタン電話機２０から受信したダイヤル番号やプリセットダイヤル番号、ボタン電話機状態などのデータを記憶する機能である。
【００４１】
ボタン電話機状態設定機能Ｆ１７は、特定番号の入力があったときにボタン電話機をプリセットダイヤル状態に設定する機能である。
【００４２】
図４を用いて、本発明による発信方法のシーケンスを説明する。ボタン電話機２０が待機状態のときに、利用者が外線への発信を開始する外線発信用特番（例えば“０”ダイヤル）を押すと、外線発信用特番のキーデータを受信したボタン電話主装置１０はボタン電話機２０をプリセットダイヤル状態に設定し、擬似ダイヤルトーンを生成してボタン電話機２０へ向けて送出する。利用者は、擬似ダイヤルトーンを聴取したのち、相手番号ダイヤル操作を行う。１桁目の相手ダイヤルが入力されるとボタン電話主装置１０は擬似ダイヤルトーンの送出を停止する。相手番号を全て入力した後利用者が外線キーを押し下げるかキー入力がないまま所定の時間が経過すると、ボタン電話主装置１０は発呼動作に移り、外線を捕捉する。外線がダイヤルトーンをボタン電話主装置１０へ返すと、ボタン電話主装置１０はプリセットされた相手番号を外線へ向けて送出する。相手番号を受けた外線は、ダイヤルトーンの送出を停止し、相手を呼び出すとともに呼出音を発呼側主装置へ送り出す。利用者は呼び出し音を聴取する。
【００４３】
このようにして、利用者は、プリセットダイヤル時にも、通常のダイヤル時と同じようにダイヤルトーンを聴取してからダイヤルをプリセットすることができる。
【００４４】
次に、図５を用いて、ボタン電話主装置１０に接続された１つのボタン電話機（内線電話機）２０−１からプリセットダイヤル操作を行う１例を説明する。図５はボタン電話主装置１０の中央制御部１１の処理を示している。
【００４５】
ボタン電話主装置は複数のボタン電話機に対する処理を一定周期（例えば６０ｍＳｅｃ）で順次行っており、図５に示すとおり一台の電話機からの受信データ処理が終了すると次電話機からの受信データ処理に移行するが、以下の説明では「次電話機からの受信データ処理」への移行部分については説明を省略し、一台のボタン電話機に対する処理に限定している。
【００４６】
ボタン電話主装置の中央制御部１１は、データ送受信回路１５−１を介して、ボタン電話機２０−１のデータ送受信回路２２経由で制御部２１と一定周期で制御データの通信を行っている。
【００４７】
ボタン電話主装置とボタン電話機は制御データの通信を行い、ボタン電話主装置の中央制御部１１はボタン電話機２０−１より受信したデータがあるか否かの判定を行う（Ｓ１）。
【００４８】
受信データがあった場合、ボタン電話主装置は記憶部１６に記憶されている電話機状態を参照し待機状態かの判断を行い（Ｓ２）、待機状態であった場合、受信データがダイヤルキー入力かの判断を行い（Ｓ３）、ダイヤルキー入力であった場合は、“０”ダイヤル（外線発信用特定番号）かの判断を行い（Ｓ４）、“０”ダイヤルであった場合は、待機状態での最初のダイヤル操作が特定ダイヤル入力（外線発信用特定番号：プリセットダイヤル）であると判定し、電話機の待機状態を解除するとともに記憶部１６の電話機状態をプリセットダイヤル状態に設定し（Ｓ５）、トーン送出部１４を４００Ｈｚ音に指定し、データ送受信回路１５−１との間を通話路スイッチ１２を制御して接続するとともに、ボタン電話機２０−１のスピーカ２５より４００Ｈｚ連続音を出力（擬似ダイヤルトーン送出）する制御を行う（Ｓ６）。
【００４９】
また、可視表示を行う場合は、ボタン電話機２０−１のＬＣＤ表示器２９に“プリセットダイヤル中“と表示する制御を行う。この処理は、上記Ｓ６の擬似ダイヤルトーン送出処理と同時に並行して行うか、Ｓ６の処理の前後いずれかに行うことができる。
【００５０】
待機状態かの判断（Ｓ２）で、電話機が待機状態でない場合、ボタン電話主装置はボタン電話機がプリセットダイヤル状態か否かの判断を行い（Ｓ８）、プリセットダイヤル状態でない場合は、他の処理、例えばオフフック状態の場合にダイヤルキー受信時はダイヤル受信処理を行い、外線通話状態の場合に保留キー受信時は保留処理等を行う（Ｓ７）。
【００５１】
ボタン電話機がプリセットダイヤル状態であった場合、ボタン電話主装置は受信データがダイヤルキー入力かの判断を行い（Ｓ９）、ダイヤルキー入力であった場合は、記憶部１６に記憶されているダイヤル入力桁数を参照し１桁目の入力かの判断を行い（Ｓ１０）、１桁目の入力であった場合は、通話路スイッチ１２を制御して、擬似トーン送出部１４と、データ送受信回路１５−１との間の接続を開放し、４００Ｈｚ音を停止するとともに、受信したダイヤル入力を記憶部１６のプリセットダイヤルメモリに記憶する（Ｓ１２）。ダイヤル入力桁数をプラス１することは自明であるため図示していない。
【００５２】
１桁目の入力かの判断（Ｓ１０）で、１桁目でない場合、ボタン電話主装置は記憶部１６のプリセットダイヤルメモリに受信したダイヤル入力を記憶する（Ｓ１２）。
【００５３】
ダイヤルキー入力か否かの判断（Ｓ３およびＳ９）で、ダイヤルキー入力でない場合は、他の処理、例えば外線キー入力時は指定した外線に接続しこれまで受信したダイヤルで発信を行う（Ｓ７）。
【００５４】
“０”ダイヤルかの判断（Ｓ４）で、“０”ダイヤルでない場合、ボタン電話主装置はキー入力を無視する。
【００５５】
ボタン電話主装置は、ボタン電話機２０−１より受信したダイヤルを順次記憶部１６に記憶していき、ダイヤルキー入力が一定時間なかった場合は、発信可能な外線を自動捕捉し、これまで受信したダイヤルで発信を行う。
【図面の簡単な説明】
【００５６】
【図１】本発明にかかるボタン電話装置の構成を説明する概略ブロック図
【図２】本発明に用いるボタン電話機の概略構成を説明する外観図
【図３】本発明にかかるボタン電話主装置の機能構成の概要を説明する機能ブロック図
【図４】本発明にかかるボタン電話装置におけるプリセット発信時の概略シーケンス図
【図５】本発明におけるボタン電話主装置の概略フローチャート
【図６】従来のボタン電話装置におけるプリセット発信時の概略シーケンス図
【符号の説明】
【００５７】
１０  ボタン電話主装置
１１  中央制御部
１２  通話路スイッチ
１３  外線回路
１４  擬似トーン送出部
１５  データ送受信回路
１６  記憶部
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
Ｆ１０  発呼機能
Ｆ１１  キーデータ検出機能
Ｆ１３  外線捕捉機能
Ｆ１４  擬似ダイヤルトーン生成送出機能
Ｆ１５  データ送受信機能
Ｆ１６  データ記憶機能
Ｆ１７  ボタン電話機状態設定機能
【図１】
2006157972.tif 000003
【図２】
2006157972.tif 000004
【図３】
2006157972.tif 000005
【図４】
2006157972.tif 000006
【図５】
2006157972.tif 000007
【図６】
2006157972.tif 000008
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
１以上の外線および複数の内線を収容するボタン電話主装置と、前記内線に接続される複数のボタン電話機とからなるボタン電話装置の回線接続方法において、前記ボタン電話主装置に、ボタン電話機からのデータが外線発信用特定番号であることを判定するステップと、前記外線発信用特定番号であると判定したときに疑似ダイヤルトーンを生成するステップと、前記外線発信用特定番号であると判定したときに前記ボタン電話機の状態をプリセットダイヤル入力可能状態に設定するステップと、前記ボタン電話機からプリセットダイヤル入力がされると前記疑似ダイヤルトーンを停止するステップと、前記プリセットダイヤル入力が一定時間なかったときに外線を捕捉するステップとを備え、前記ボタン電話機に、前記疑似ダイヤルトーンを聴取するステップと、前記プリセットダイヤル入力可能状態になったときに可視表示するステップとを備えたことを特徴とするボタン電話装置の回線接続方法。
【手続補正３】
【補正対象書類名】明細書
【補正対象項目名】０００１
【補正方法】変更
【補正の内容】
【０００１】  本発明は、プリセットダイヤル機能を備えたボタン電話装置の回線接続方法に関する。
【手続補正４】
【補正対象書類名】明細書
【補正対象項目名】０００５
【補正方法】変更
【補正の内容】
【０００５】  本発明は、このような問題を解決すべく発明されたもので、従来のボタン電話機等の構内電話システムにおけるダイヤル方法と同様な操作手順でありながら、ダイヤル方法としてはプリセットダイヤル機能を使用することが可能なボタン電話装置の回線接続方法を提供するものである。
【手続補正５】
【補正対象書類名】明細書
【補正対象項目名】０００６
【補正方法】変更
【補正の内容】
【０００６】  本発明のボタン電話装置の回線接続方法は、１以上の外線および複数の内線を収容するボタン電話主装置と、前記内線に接続される複数のボタン電話機とからなるボタン電話装置の回線接続方法において、前記ボタン電話主装置に、ボタン電話機からのデータが外線発信用特定番号であることを判定するステップと、前記外線発信用特定番号であると判定したときに疑似ダイヤルトーンを生成するステップと、前記外線発信用特定番号であると判定したときに前記ボタン電話機の状態をプリセットダイヤル入力可能状態に設定するステップと、前記ボタン電話機からプリセットダイヤル入力がされると前記疑似ダイヤルトーンを停止するステップと、前記プリセットダイヤル入力が一定時間なかったときに外線を捕捉するステップとを備え、前記ボタン電話機に、前記疑似ダイヤルトーンを聴取するステップと、前記プリセットダイヤル入力可能状態になったときに可視表示するステップとを備えた。
【手続補正６】
【補正対象書類名】明細書
【補正対象項目名】０００７
【補正方法】変更
【補正の内容】
【０００７】  また、本発明のボタン電話装置の回線接続方法は、ボタン電話機が前記プリセットダイヤル状態に設定されたとき、プリセットダイヤル状態に設定された旨をボタン電話機の表示部に可視表示させるものである。可視表示の例としては、ＬＣＤ表示部への文字表示あるいはプリセットダイヤル表示用ＬＥＤの点灯などがある。
【手続補正７】
【補正対象書類名】明細書
【補正対象項目名】０００８
【補正方法】変更
【補正の内容】
【０００８】  さらに、本発明のボタン電話装置の回線接続方法は、ボタン電話機からの前記プリセットダイヤルの入力が一定時間なかった場合、外線自動捕捉を行うものである。
【手続補正８】
【補正対象書類名】明細書
【補正対象項目名】００１３
【補正方法】変更
【補正の内容】
【００１３】  図１を用いて、本発明にかかるボタン電話装置の回線接続方法が適用されるボタン電話主装置１０と、ボタン電話機（内線電話機）２０の構成の概要を説明する。ボタン電話装置は、複数の外線（１本の場合もあり得る）に接続されたボタン電話主装置１０と、該ボタン電話主装置１０に接続された複数のボタン電話機２０−１〜２０−ｎから構成される。
【手続補正９】
【補正対象書類名】明細書
【補正対象項目名】００３１
【補正方法】変更
【補正の内容】
【００３１】  図２は、本発明にかかるボタン電話装置の回線接続方法が適用されるボタン電話機２０の一例の外観図である。ボタン電話機（内線電話機）２０の外観は、送受話器２４と、通常は表面には表れないスピーカ２５と、例えば１２個のダイヤルキー２６と、外線キー２７と、機能キー２８と、ＬＣＤ表示器２９と、図示されていない各種設定スイッチ（受話音量調節スイッチや着信音量スイッチ等）とで構成されている。
【手続補正１０】
【補正対象書類名】明細書
【補正対象項目名】００３３
【補正方法】変更
【補正の内容】
【００３３】  本発明にかかるボタン電話装置の回線接続方法が適用されるボタン電話主装置の機能構成を、図３を用いて説明する。ボタン電話主装置１０は、少なくとも、発呼機能Ｆ１０と、キーデータ検出機能Ｆ１１と、特定番号判定機能Ｆ１２と、外線捕捉機能Ｆ１３と、擬似ダイヤルトーン生成送出機能Ｆ１４と、データ送受信機能Ｆ１５と、データ記憶機能Ｆ１６と、ボタン電話機状態設定機能Ｆ１７とを有して構成される。